(57)【特許請求の範囲】
【請求項１】
面状光源装置であって、
１以上の光学シートから構成される光学シート部と、
映像を表示するために利用される開口を有し、前記光学シート部を覆う第１筺体と、を備え、
前記光学シート部には、切り欠き部が設けられ、
前記切り欠き部は、平面視において、前記開口と重ならない位置に設けられ、
前記面状光源装置は、さらに、
前記光学シート部を固定するための突起部を備え、
前記突起部は、前記切り欠き部に接する、前記光学シート部の端部である切り欠き側端部に接するように設けられ、
前記光学シート部には、さらに、スリットが設けられ、
前記スリットは、平面視において、前記切り欠き部と前記開口との間に設けられる
面状光源装置。
【請求項２】
前記突起部は、前記第１筺体に設けられる
請求項１に記載の面状光源装置。
【請求項３】
前記面状光源装置は、さらに、
光を前記光学シート部へ導くための導光板を備え、
前記突起部は、前記導光板に設けられる
請求項１に記載の面状光源装置。
【請求項４】
前記面状光源装置は、さらに、
前記光学シート部を収容するように、前記第１筺体と接続される第２筺体を備え、
前記突起部は、前記第２筺体に設けられる
請求項１に記載の面状光源装置。
【請求項５】
前記光学シート部は、複数の前記光学シートから構成され、
前記切り欠き部は、前記複数の光学シートのうち、前記突起部と接する光学シートに設けられる
請求項１から４のいずれか１項に記載の面状光源装置。
【請求項６】
請求項１から５のいずれか１項に記載の前記面状光源装置の前記開口により形成される表示領域に前記映像を表示する表示パネルを含む
表示装置。
【発明の詳細な説明】
【技術分野】
【０００１】
本発明は、光学シートを有する面状光源装置および表示装置に関する。
【背景技術】
【０００２】
振動が伴う環境に表示装置を設置した場合、当該表示装置に含まれる面状光源装置の内部に配置されているシート材が移動し、異音が発生することがある。特に、車載用途では、異音に対する規定が設けられており、産業用途でも、近年、異音対策の要求が高まっている。そこで、テープ等を使用して、表示装置における、意図しない異音の発生を防止するための対策が施されている。しかしながら、当該対策では、テープの貼り付け等の工数増加、部材のコストアップ等の問題がある。
【０００３】
特許文献１では、テープ等の接着手段を使用せずに、シート材を固定する技術（以下、「関連技術Ａ」という）が開示されている。具体的には、関連技術Ａでは、シート材に突片が設けられる。当該突片の弾性復元力によりシート材が固定される。
【先行技術文献】
【特許文献】
【０００４】
【特許文献１】特開２００４−２６４４００号公報
【発明の概要】
【発明が解決しようとする課題】
【０００５】
しかしながら、関連技術Ａでは、以下の問題点がある。具体的には、関連技術Ａでは、突片により、光学シートとしてのシート材が固定される。そのため、突片に応力が加わった場合、シート材全体に応力が加わる。この場合、シート材にしわが発生する。シート材にしわが発生した場合、シート材に起因する不具合（以下、「不具合Ａ」ともいう）が発生し易い。不具合Ａは、例えば、光学シートとしてのシート材から出射される光の方向が、映像を正常に表示するための所望の方向からずれるという不具合である。
【０００６】
この不具合Ａが発生した場合、表示装置が表示する映像の品質が低下する。すなわち、関連技術Ａでは、光学シート（シート材）に起因する不具合が発生し易い。そのため、光学シート（シート材）に起因する不具合の発生を抑制するためには、表示装置に含まれる面状光源装置に設けられる、映像を表示するために利用される開口により形成される領域に存在する光学シートに応力が加わることを抑制することが求められる。
【０００７】
本発明は、このような問題を解決するためになされたものであり、映像を表示するために利用される開口により形成される領域に存在する光学シートに応力が加わることを抑制することが可能な面状光源装置および表示装置を提供することを目的とする。
【課題を解決するための手段】
【０００８】
上記目的を達成するために、本発明の一態様に係る面状光源装置は、１以上の光学シートから構成される光学シート部と、映像を表示するために利用される開口を有し、前記光学シート部を覆う第１筺体と、を備え、前記光学シート部には、切り欠き部が設けられ、前記切り欠き部は、平面視において、前記開口と重ならない位置に設けられ、前記面状光源装置は、さらに、前記光学シート部を固定するための突起部を備え、前記突起部は、前記切り欠き部に接する、前記光学シート部の端部である切り欠き側端部に接するように設けられ、前記光学シート部には、さらに、スリットが設けられ、前記スリットは、平面視において、前記切り欠き部と前記開口との間に設けられる。
【発明の効果】
【０００９】
本発明によれば、光学シート部は、１以上の光学シートから構成される。前記光学シート部には、切り欠き部およびスリットが設けられる。前記突起部は、前記切り欠き部に接する、前記光学シート部の端部である切り欠き側端部に接するように設けられる。前記スリットは、平面視において、前記切り欠き部と前記開口との間に設けられる。
【００１０】
これにより、突起部が切り欠き側端部に接することにより当該切り欠き側端部に応力が加わった場合において、前記開口により形成される領域に存在する光学シート部（光学シート）に応力が加わることを、スリットの存在により抑制することができる。
【図面の簡単な説明】
【００１１】
【図１】本発明の実施の形態１に係る表示装置の分解斜視図である。
【図２】本発明の実施の形態１に係る面状光源装置の平面図である。
【図３】本発明の実施の形態１に係る面状光源装置の断面図である。
【図４】本発明の実施の形態１に係る光学シート部の平面図である。
【図５】本発明の実施の形態１の変形例に係る表示装置の一部の断面図である。
【図６】本発明の実施の形態２に係る表示装置の一部の断面図である。
【図７】変形構成Ｂを適用した導光板の斜視図である。
【図８】本発明の実施の形態３に係る表示装置の一部の断面図である。
【図９】変形構成Ｃを適用した筺体の平面図である。
【発明を実施するための形態】
【００１２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１３】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１４】
＜実施の形態１＞
（表示装置の全体の構成）
図１は、本発明の実施の形態１に係る表示装置１００の分解斜視図である。表示装置１００は、例えば、液晶を利用して映像を表示する液晶表示装置である。なお、表示装置１００は、液晶表示装置に限定されず、他の方式の表示装置であってもよい。表示装置１００は、例えば、有機ＥＬ（Electroluminescence）ディスプレイであってもよい。表示装置１００は、詳細は後述するが、映像を表示するための表示領域Ｒ１（図示せず）を有する。
【００１５】
図１において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１６】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１７】
図１を参照して、表示装置１００は、表示パネル１０と、面状光源装置２０と、筐体３と、回路基板４とを備える。
【００１８】
面状光源装置２０は、光を出射する装置である。面状光源装置２０は、表示パネル１０の背面へ光を照射する。筐体３の内部には、表示パネル１０および面状光源装置２０が配置される。筐体３は、開口３Ｈを有する。なお、図１では、図の簡略化のため、開口３Ｈを介して見える、表示パネル１０の一部の記載は省略している。
【００１９】
表示パネル１０は、例えば、液晶パネルである。表示パネル１０は、映像を表示する。なお、表示パネル１０のうち映像を表示する面側には、タッチパネル（図示せず）が設けられる。タッチパネルは、ユーザによるタッチ操作を受け付けるためのパネルである。
【００２０】
また、タッチパネルの表面には、透明の保護部材が設けられる。当該保護部材は、タッチパネルを保護する板である。保護部材は、表示パネル１０のうち映像を表示する面側に設けられる。なお、回路基板４の表面には、当該回路基板４を保護するためのカバーが設けられてもよい。
【００２１】
次に、表示装置１００を構成する上記各部材についてさらに詳細に説明する。
【００２２】
（表示パネル）
表示パネル１０は、透過型または半透過型の液晶パネルである。表示パネル１０は、液晶の複屈折性を応用して映像を表示する。表示パネル１０は、基板１１と、基板１２と、駆動用ＩＣ（Integrated Circuit）１３とを含む。
【００２３】
基板１１は、ガラスなどの絶縁性基板上にカラーフィルタ、遮光層、対向電極等が形成された基板である。基板１２は、ガラスなどの絶縁性基板上にスイッチング素子を利用した画素電極等が行列状に形成された基板である。当該スイッチング素子は、薄膜トランジスタ（Thin Film Transistor）である。以下、薄膜トランジスタを、単に、「ＴＦＴ」ともいう。
【００２４】
駆動用ＩＣ１３は、基板１２の周縁部、または、基板１２の周縁部に接続されたテープ状の配線材料上に配置される。当該配線材料は、ＴＣＰ、ＣＯＦ等である。
【００２５】
また、表示パネル１０には、さらに、図示しない、スペーサ、シール材、液晶、封止材、配向膜、偏光板等が設けられる。スペーサは、基板１１と基板１２との間隔を保持する。シール材は、基板１１と基板１２とを貼り合わせる。液晶は、基板１１と基板１２との間に設けられる。封止材は、液晶を封止する部材である。封止材には、液晶を注入する注入口が設けられる。配向膜は、液晶を配向させる膜である。偏光板は、基板１１および基板１２の外側の面上に配置される。
【００２６】
（面状光源装置）
面状光源装置２０は、基板１２側から、表示パネル１０へ光を照射する。面状光源装置２０は、光源２５と、導光板２３と、光学シート部２２と、反射シート２４と、筺体２１Ｆと、筺体２１Ｂとを含む。
【００２７】
光源２５は、光を出射する。導光板２３は、光源２５が出射した光を特定の方向へ導く。少し具体的には、導光板２３は、光を光学シート部２２へ導くための部材である。具体的には、導光板２３は、出射面２３ａと、反出射面２３ｂと，側面２３ｓとを有する。出射面２３ａは、光が出射される面である。反出射面２３ｂは、導光板２３のうち出射面２３ａと反対側の面である。反出射面２３ｂは、光が出射されない面である。
【００２８】
光源２５が出射する光は、導光板２３の側面２３ｓを介して、導光板２３の内部に伝搬する。導光板２３の内部に伝搬した光は、出射面２３ａからＺ方向へ出射される。すなわち、導光板２３は、光源２５が出射する光を出射面２３ａから出射する。なお、表示パネル１０は、導光板２３の出射面２３ａ側に設けられる。
【００２９】
光学シート部２２は、導光板２３の出射面２３ａ上に設けられる。光学シート部２２は、複数の光学シート２から構成される。なお、光学シート部２２は、１枚の光学シート２から構成されてもよい。すなわち、光学シート部２２は、１以上の光学シート２から構成される。光学シート２は、映像の表示のために使用される、出射面２３ａ（光源２５）が出射する光を透過させる。
【００３０】
また、光学シート部２２は、導光板２３から出射された光の分布および広がりを制御する。光学シート部２２は、出射面２３ａから出射される光を、表示パネル１０へ出射する。表示パネル１０は、出射面２３ａから出射される光を使用して映像を表示する。
【００３１】
反射シート２４は、導光板２３のうち、反出射面２３ｂ側に設けられる。反射シート２４は、光を反射させるシートである。反射シート２４の存在により、導光板２３から−Ｚ方向へ出射した光は、反射シート２４に反射して、再び、導光板２３に入射する。
【００３２】
光源２５、導光板２３、光学シート部２２および反射シート２４は、筺体２１Ｂに収容される。なお、反射シート２４は、筺体２１Ｂの底面に設けられる。導光板２３は、反射シート２４上に設けられる。これにより、導光板２３のＺ軸方向の位置は、筺体２１Ｂの底面、および、反射シート２４により固定される。
【００３３】
筺体２１Ｂは、面状光源装置２０の背面側に設けられる背面筐体である。筺体２１Ｆは、光学シート部２２を覆うように設けられる。筺体２１Ｆは、面状光源装置２０の前面側に設けられる前面筐体である。
【００３４】
光源２５は、白色光を出射する点状光源である。光源２５は、ＬＥＤ（Light Emitting Diode）、レーザーダイオード（Laser Diode）等である。なお、光源２５は、赤色光（Ｒ），緑色光（Ｇ）および青色光（Ｂ）を出射する光源であってもよい。また、光源２５は、ＲＧＢ以外の色の光を出射する光源であってもよい。
【００３５】
光源２５は、光源基板２６に実装される。光源基板２６は、一般的なガラスエポキシ樹脂をベースに構成された基板、フレキシブルなフラットケーブルを使用した基板等である。なお、光源基板２６は、放熱性を高めるために、金属（例えば、アルミ等）、セラミック等をベースに構成された基板であってもよい。
【００３６】
なお、光源２５は、光源基板２６に実装された点状光源に限定されず、蛍光管ランプ等の線状光源で構成されてもよい。
【００３７】
導光板２３は、透明なアクリル樹脂、ポリカーボネート樹脂、ガラス等で構成される。導光板２３の出射面２３ａおよび出射面２３ｂの両方または一方には、散乱用ドットパターン、プリズム形状部等が形成される。散乱用ドットパターン、プリズム形状部等は、光を出射させるとともに、面内の光の強度分布、光の出射方向を調整するためのものである。
【００３８】
また、導光板２３上には、光の強度分布、光の出射角を調整するために、光学シート部２２が配置されている。光学シート部２２は、前述したように、複数の光学シート２から構成される。
【００３９】
光学シート部２２は、目的に応じて、レンズシート、拡散シート、視野角調整シート等が、必要な枚数だけ配置されて構成される。当該レンズシートは、集光を行うためのシートである。拡散シートは、光の均一化を行うためのシートである。視野角調整シートは、視野角の方向における輝度を調整するためのシートである。すなわち、光学シート部２２を構成する各光学シート２は、レンズシート、拡散シートおよび視野角調整シート等のいずれかである。なお、光学シート部２２は、前述したように、１枚の光学シート２から構成されてもよい。
【００４０】
筐体２１Ｆは、開口Ｈ１を有する。開口Ｈ１は、導光板２３の出射面２３ａから出射される光の経路となる。筐体２１Ｆの上面の周縁には、表示パネル１０が搭載されるとともに、位置決めされている。これにより、表示パネル１０は、筐体２１Ｆに保持される。筐体２１Ｆを構成する材料は、アルミニウム、ステンレス、鉄等の金属、ＰＣ（ポリカーボネート）、ＡＢＳ（アクリロニトリルブタジエンスチレン）等の樹脂材料等である。
【００４１】
筺体２１Ｂには、光源２５および光源基板２６が位置決めされている。すなわち、筺体２１Ｂは、光源２５および光源基板２６を保持する。光源２５から放出される熱を伝導させるためには、熱伝導性が高い金属を使用することが望ましい。そのため、筺体２１Ｂは、特に、熱伝導性が高いアルミまたはアルミ合金で構成される。この構成により、筺体２１Ｂは、効率よく光源２５からの熱を拡散でき、光源２５の温度を下げることが出来る。これにより、面状光源装置２０に熱がこもることを防止することができる。
【００４２】
（筐体）
筐体３は、枠状の部材である。筐体３は、表示パネル１０、面状光源装置２０、タッチパネル（図示せず）、保護部材（図示せず）等を保持する。筐体３は、薄板の金属、樹脂成型品等により構成される。筐体３は、ツメ状の固定構造、ネジ止め等により、面状光源装置２０の筺体２１Ｂと固定される。ツメ状の固定構造とは、筐体３および筺体２１Ｂの各々に設けられたツメ状の突起部が、互いに係合する構造である。
【００４３】
筐体３は、一体で形成してもよいし、複数の部材を組み合わせることにより構成してもよい。また、筐体３の側面、正面、背面、あるいは周縁部等に、最終製品への取り付け部（ネジ、取付穴等）を設けてもよい。
【００４４】
（回路基板）
回路基板４は、表示パネル１０および光源２５を電気的な入出力信号により制御する。回路基板４は、通常、ガラスエポキシ等に銅パターンが形成され、当該ガラスエポキシの表面に電子部品がハンダにより実装されて構成される。回路基板４は、主に面状光源装置２０の裏面側（光が出射されない側）に配置（固定）される。
【００４５】
なお、回路基板４は、表示パネル１０に接続されたフィルム上の基材に配線を形成したＦＰＣ（Flexible Printed Circuits）上に電子部品を実装することにより、構成されても良い。
【００４６】
また、回路基板４を、外部からの圧力、静電気から保護するために、回路基板４に、保護カバー（図示せず）を取り付けても良い。当該保護カバーは、アルミニウム、ステンレス、亜鉛めっき鋼板等の金属、ＰＥＴ（PolyEthylene Terephthalate）等のフィルム状の薄い樹脂等から成る。
【００４７】
なお、金属製の保護カバーを使用する場合、回路基板４と、当該回路基板４上の電子部品との電気的接触を避けるために、回路基板４には、ＰＥＴ等の樹脂製シートが貼り付けられる。これにより、絶縁対策を行うことができる。
【００４８】
（タッチパネル）
タッチパネル（図示せず）は、透明基板と、当該透明基板上に形成された透明電極による回路とにより構成される。タッチパネルは、上記回路により、外部（使用者）から入力された位置座標に関する情報を電気信号に変換する。そして、タッチパネルは、当該電気信号を、タッチパネルの端部に接続された出力配線部を介して最終製品の制御回路へ伝達する。
【００４９】
出力配線部には、薄さと柔軟性による接続の自由度から、フィルム上の基材に配線を形成したＦＰＣ（Flexible Printed Circuits）が用いられる。なお、出力配線部は、ＦＰＣに限定されず、同等の機能、特性を有するものであれば、異なる材料、異なる構造から成るものでもよい。
【００５０】
（保護部材）
保護部材（図示せず）は、タッチパネルの入力面に対する加圧、接触等による損傷、タッチパネルの変形、磨耗、汚れ等を防止するための板である。保護部材は、表示パネル１０のうち映像を表示する面側に設けられる。保護部材は、ガラス、プラスチック等の透明材料から構成される。なお、保護部材の表面または裏面の周縁部には、遮光あるいは意匠上の目的により、印刷により処理が施されてもよい。
【００５１】
（特徴的な構成）
次に、本実施の形態における特徴的な構成について詳細に説明する。なお、図の簡素化のために、以下において説明する図では、光源２５および光源基板２６は示していない。図２は、本発明の実施の形態１に係る面状光源装置２０の平面図である。なお、図２では、筐体２１Ｆが有する前述の開口Ｈ１を示している。ＸＹ面における当該開口Ｈ１により、ＸＹ面における前述の表示領域Ｒ１が形成される。表示装置１００の表示パネル１０は、面状光源装置２０の開口Ｈ１により形成される表示領域Ｒ１に映像を表示する。具体的には、表示パネル１０は、面状光源装置２０が開口Ｈ１を介して出射する光を利用して、表示領域Ｒ１に映像を表示する。すなわち、開口Ｈ１は、映像を表示するために利用される。
【００５２】
また、図２では、ＸＹ面における後述の切り欠き部Ｈ２およびスリットＳＬ１の位置を示すために、当該切り欠き部Ｈ２およびスリットＳＬ１を示している。また、図２では、後述の切り欠き部Ｈ２およびスリットＳＬ１の構成を分かり易くするために、開口Ｈ１（表示領域Ｒ１）の下辺の周辺部の幅を、開口Ｈ１の他辺の周辺部の幅より大きく示している。しかしながら、開口Ｈ１を構成する４辺の周辺部の幅は、実際には、同じまたは同等である。
【００５３】
図３は、本発明の実施の形態１に係る面状光源装置２０の断面図である。具体的には、図３は、図２のＡ１−Ａ２線に沿った面状光源装置２０の断面図である。すなわち、図３は、表示装置１００の一部である面状光源装置２０の断面図である。
【００５４】
図４は、本発明の実施の形態１に係る光学シート部２２の平面図である。なお、図４では、ＸＹ面における開口Ｈ１（表示領域Ｒ１）を示している。また、図４では、図２と同様な理由により、開口Ｈ１の下辺の周辺部の幅を、開口Ｈ１の他辺の周辺部の幅より大きく示している。しかしながら、開口Ｈ１を構成する４辺の周辺部の幅は、実際には、同じまたは同等である。
【００５５】
図２、図３および図４を参照して、光学シート部２２には、切り欠き部Ｈ２が設けられる。すなわち、光学シート部２２を構成する各光学シート２には、切り欠き部Ｈ２が設けられる。なお、切り欠き部Ｈ２は、図４のように、平面視（ＸＹ面）において、開口Ｈ１（表示領域Ｒ１）と重ならない位置に設けられる。
【００５６】
また、本実施の形態に係る筺体２１Ｆには、図２および図３に示す突起部Ｘ１が設けられる。すなわち、表示装置１００は、突起部Ｘ１をさらに備える。突起部Ｘ１は、光学シート部２２を固定するためのものである。具体的には、突起部Ｘ１は、筺体２１Ｆの一部を−Ｚ方向に突出するようにして形成されたものである。突起部Ｘ１は、下面Ｘ１ｂおよび側面Ｘ１ｓを有する。
【００５７】
以下においては、切り欠き部Ｈ２に接する、光学シート部２２の端部を、「切り欠き側端部」ともいう。切り欠き側端部は、切り欠き部Ｈ２に接する、光学シート２の端部でもある。また、以下においては、光学シート部２２の上面を、「上面２２ａ」ともいう。また、以下においては、光学シート部２２を構成する複数の光学シート２のうち、最も上の光学シート２を、「光学シート２ａ」ともいう。また、以下においては、光学シート部２２を構成する複数の光学シート２のうち、光学シート２ａ以外の光学シート２を、「下部光学シート」ともいう。
【００５８】
突起部Ｘ１は、図３のように、光学シート部２２の切り欠き側端部に接するように設けられる。すなわち、突起部Ｘ１は、図２のように、平面視（ＸＹ面）において、切り欠き部Ｈ２に対応する位置に配置される。具体的には、突起部Ｘ１は、下面Ｘ１ｂおよび側面Ｘ１ｓが、光学シート部２２の切り欠き側端部の上面２２ａ（光学シート２ａ）を押圧するように、筺体２１Ｆに設けられる。
【００５９】
これにより、押力は、光学シート２ａを介して、下部光学シートに伝搬する。したがって、各光学シート２の切り欠き側端部の弾性復元力により、当該各光学シート２が固定される。すなわち、光学シート部２２が固定される。言い換えれば、光学シート部２２は、突起部Ｘ１と、Ｚ軸方向の位置が固定された導光板２３とにより挟まれることにより、当該光学シート部２２は固定される。これにより、光学シート２の移動が抑制される。したがって、光学シート２の移動に伴う異音の発生を防止することができる。
【００６０】
また、図４のように、光学シート部２２には、さらに、スリットＳＬ１が設けられる。すなわち、光学シート部２２を構成する各光学シート２には、スリットＳＬ１が設けられる。スリットＳＬ１は、平面視（ＸＹ面）において、切り欠き部Ｈ２と開口Ｈ１（表示領域Ｒ１）との間に設けられる。すなわち、スリットＳＬ１は、平面視（ＸＹ面）において、開口Ｈ１（表示領域Ｒ１）と重ならない位置に設けられる。具体的には、スリットＳＬ１は、平面視（ＸＹ面）において、開口Ｈ１により形成される表示領域Ｒ１と重ならない位置に設けられる。スリットＳＬ１の形状は、例えば、矩形状（長方形）である。なお、スリットＳＬ１は、一例として、切り欠き部Ｈ２と接続されるように設けられる。
【００６１】
この構成により、突起部Ｘ１が光学シート部２２の切り欠き側端部を押圧した場合、スリットＳＬ１に応力が集中する。すなわち、スリットＳＬ１が応力を吸収する。その結果、開口Ｈ１により形成される表示領域Ｒ１に存在する光学シート部２２（光学シート２）全体に応力が加わることを抑制することができる。
【００６２】
したがって、光学シート２にしわが発生することを抑制（防止）することができる。その結果、光学シート２に起因する不具合（以下、「不具合Ａ」ともいう）が発生することを抑制（防止）することができる。不具合Ａは、例えば、光学シート２から出射される光の方向が、映像を正常に表示するための所望の方向からずれるという不具合である。不具合Ａが発生した場合、面状光源装置２０における、光の出射面の輝度が不均一となる。その結果、表示装置１００が表示する映像の品質が低下する。
【００６３】
すなわち、本実施の形態によれば、スリットＳＬ１を設けることにより、表示装置１００が表示する映像の品質が低下することを抑制することができる。
【００６４】
以上説明したように、本実施の形態によれば、光学シート部２２は、１以上の光学シート２から構成される。光学シート部２２には、切り欠き部Ｈ２およびスリットＳＬ１が設けられる。突起部Ｘ１は、切り欠き部Ｈ２に接する、光学シート部２２の端部である切り欠き側端部に接するように設けられる。スリットＳＬ１は、平面視（ＸＹ面）において、切り欠き部Ｈ２と開口Ｈ１（表示領域Ｒ１）との間に設けられる。
【００６５】
これにより、突起部Ｘ１が切り欠き側端部に接することにより当該切り欠き側端部に応力が加わった場合において、開口Ｈ１により形成される表示領域Ｒ１に存在する光学シート部２２（光学シート２）に応力が加わることを、スリットＳＬ１の存在により抑制することができる。
【００６６】
また、スリットＳＬ１を設けた構成により、前述したように、突起部Ｘ１が光学シート部２２の切り欠き側端部を押圧した場合、スリットＳＬ１に応力が集中する。すなわち、スリットＳＬ１が応力を吸収する。その結果、開口Ｈ１により形成される表示領域Ｒ１に存在する光学シート部２２（光学シート２）全体に応力が加わることを抑制することができる。
【００６７】
したがって、光学シート２にしわが発生することを抑制（防止）することができる。その結果、光学シート２に起因する不具合Ａが発生することを抑制（防止）することができる。不具合Ａは、前述したように、例えば、光学シート２から出射される光の方向が、映像を正常に表示するための所望の方向からずれるという不具合である。不具合Ａが発生した場合、面状光源装置２０における、光の出射面の輝度が不均一となる。その結果、表示装置１００が表示する映像の品質が低下する。すなわち、本実施の形態によれば、スリットＳＬ１を設けることにより、面状光源装置２０における、光の出射面の輝度が不均一となることを抑制することができる。そのため、表示装置１００が表示する映像の品質が低下することを抑制することができる。
【００６８】
また、本実施の形態では、突起部Ｘ１が、光学シート部２２の切り欠き側端部を押圧するように構成される。これにより、光学シート部２２が固定される。すなわち、光学シート２の移動が抑制される。したがって、光学シート２の移動に伴う異音の発生を防止することができる。具体的には、光学シート２と他部材との接触による、異音の発生を防止することができる。
【００６９】
以上により、本実施の形態によれば、表示装置１００が表示する映像の品質に影響を与えることなく、光学シート２の移動に伴う異音の発生を抑えることができる。
【００７０】
また、本実施の形態では、光学シート２は、筺体２１Ｆの突起部Ｘ１の押力により、固定される構成を有する。そのため、光学シート２を固定するためのテープ（両面テープ）などの接着部材が不要となる。したがって、表示装置１００のコストの削減、表示装置１００の分解の容易性の向上等を実現することができる。
【００７１】
なお、スリットＳＬ１の形状は長方形に限定されない。スリットＳＬ１の形状は、例えば、曲線からなる形状であってもよい。この構成においても、上記と同様な効果が得られる。
【００７２】
また、スリットＳＬ１は、切り欠き部Ｈ２と接続されるように設けられるとしたがこれに限定されない。スリットＳＬ１は切り欠き部Ｈ２と接続されないように、平面視（ＸＹ面）において、スリットＳＬ１が、切り欠き部Ｈ２と開口Ｈ１（表示領域Ｒ１）との間に設けられてもよい。この構成においても、上記と同様な効果が得られる。
【００７３】
＜実施の形態１の変形例＞
実施の形態１では、光学シート部２２を構成する全ての光学シート２に、切り欠き部Ｈ２およびスリットＳＬ１を設ける構成（以下、「構成Ｎ」ともいう）とした。本変形例では、光学シート部２２を構成する複数の光学シート２の一部に、切り欠き部Ｈ２およびスリットＳＬ１を設ける構成（以下、「変形構成Ａ」ともいう）とする。以下においては、変形構成Ａを適用した表示装置１００を、「表示装置１００Ａ」ともいう。また、以下においては、変形構成Ａを適用した面状光源装置２０を、「面状光源装置２０Ａ」ともいう。
【００７４】
図５は、本発明の実施の形態１の変形例に係る表示装置１００Ａの一部の断面図である。具体的には、図５は、本発明の実施の形態１の変形例に係る面状光源装置２０Ａの断面図である。
【００７５】
変形構成Ａでは、光学シート部２２は、図３と同様、複数の光学シート２から構成される。変形構成Ａでは、切り欠き部Ｈ２は、光学シート部２２を構成する複数の光学シート２のうち、突起部Ｘ１と接する光学シート２に設けられる。
【００７６】
具体的には、変形構成Ａでは、図５のように、例えば、前述の光学シート２ａのみに、切り欠き部Ｈ２およびスリットＳＬ１が設けられる。光学シート２ａとは、光学シート部２２を構成する複数の光学シート２のうち、最も上の光学シート２である。
【００７７】
本変形例においても、実施の形態１と同様な効果が得られる。すなわち、光学シート２に起因する不具合Ａが発生することを抑制（防止）することができる。その結果、表示装置１００が表示する映像の品質が低下することを抑制することができる。また、光学シート２を固定するためのテープ（両面テープ）などの接着部材が不要なため、表示装置１００のコストの削減を実現することができる。
【００７８】
＜実施の形態２＞
実施の形態１では、筺体２１Ｆの突起部Ｘ１が、光学シート部２２を押圧する構成とした。すなわち、実施の形態１では、突起部Ｘ１は筺体２１Ｆに設けられる構成としたが、これに限定されない。突起部Ｘ１は、導光板２３に設ける構成（以下、「変形構成Ｂ」ともいう）としてもよい。
【００７９】
以下においては、変形構成Ｂを適用した表示装置１００を、「表示装置１００Ｂ」ともいう。また、以下においては、変形構成Ｂを適用した面状光源装置２０を、「面状光源装置２０Ｂ」ともいう。
【００８０】
表示装置１００Ｂは、実施の形態１の表示装置１００と比較して、突起部Ｘ１が、筺体２１Ｆの代わりに導光板２３に設けられる点が異なる。表示装置１００Ｂのそれ以外の構成は、表示装置１００と同様なので詳細な説明は繰り返さない。以下においては、導光板２３に設けられた突起部Ｘ１を、「突起部Ｘ１Ａ」ともいう。
【００８１】
図６は、本発明の実施の形態２に係る表示装置１００Ｂの一部の断面図である。具体的には、図６は、本発明の実施の形態２に係る面状光源装置２０Ｂの断面図である。図７は、変形構成Ｂを適用した導光板２３の斜視図である。以下においては、光学シート部２２を構成する複数の光学シート２のうち、最も下の光学シート２を、「光学シート２ｄ」ともいう。
【００８２】
本実施の形態の変形構成Ｂでは、図６のように、図４の切り欠き部Ｈ２およびスリットＳＬ１は、光学シート２ｄのみに設けられる。なお、図６では、スリットＳＬ１は示されていない。すなわち、切り欠き部Ｈ２は、光学シート部２２を構成する複数の光学シート２のうち、突起部Ｘ１Ａと接する光学シート２（光学シート２ｄ）に設けられる。変形構成Ｂにおいて、平面視（ＸＹ面）における切り欠き部Ｈ２およびスリットＳＬ１の位置は、実施の形態１で説明した位置と同じである。また、平面視（ＸＹ面）における突起部Ｘ１Ａの位置は、平面視（ＸＹ面）における突起部Ｘ１の位置と同じである。
【００８３】
また、本実施の形態の変形構成Ｂでは、図６および図７のように、突起部Ｘ１Ａは、導光板２３に設けられる。具体的には、突起部Ｘ１Ａは、Ｚ方向に突出するように、導光板２３に設けられる。また、突起部Ｘ１Ａは、光学シート部２２の切り欠き側端部に接するように設けられる。すなわち、突起部Ｘ１Ａは、光学シート２ｄの切り欠き側端部に接するように設けられる。なお、本実施の形態の変形構成Ｂでは、導光板２３は、アクリル樹脂、ポリカーボネート樹脂等の樹脂で構成される。
【００８４】
この構成により、突起部Ｘ１Ａにより、光学シート２ｄの切り欠き側端部が押圧されることにより、光学シート部２２（光学シート２ｄ）が固定される。なお、変形構成Ｂにおいても、実施の形態１と同様、スリットＳＬ１は、平面視（ＸＹ面）において、切り欠き部Ｈ２と開口Ｈ１（表示領域Ｒ１）との間に設けられる。
【００８５】
以上説明したように、本実施の形態においても、実施の形態１と同様な効果が得られる。すなわち、光学シート２に起因する不具合Ａが発生することを抑制（防止）することができる。その結果、表示装置１００Ｂが表示する映像の品質が低下することを抑制することができる。
【００８６】
また、導光板２３は、樹脂で構成される。そのため、突起部Ｘ１Ａが光学シート２の切り欠き側端部と接する際における、摩擦による光学シート２への負荷を軽減することができる。
【００８７】
さらに、表示装置１００Ｂの背面側（導光板２３側）は、筺体２１Ｆ側よりも、突起部を設ける位置の自由度が大きい。そのため、狭額縁を実現するために、筺体２１Ｆに突起部を設けることが困難な場合においても、本実施の形態は対応できる。
【００８８】
なお、本実施の形態では、切り欠き部Ｈ２およびスリットＳＬ１（図示せず）は、光学シート２ｄのみに設けられるとしたが、これに限定されない。実施の形態１と同様、切り欠き部Ｈ２およびスリットＳＬ１は、光学シート部２２を構成する全ての光学シート２に設けられてもよい。
【００８９】
＜実施の形態３＞
実施の形態２では、導光板２３の突起部Ｘ１Ａにより、光学シート２ｄの切り欠き側端部を押圧する構成とした。なお、筺体２１Ｂにより、光学シート２ｄの切り欠き側端部を押圧する構成（以下、「変形構成Ｃ」ともいう）としてもよい。
【００９０】
以下においては、変形構成Ｃを適用した表示装置１００を、「表示装置１００Ｃ」ともいう。また、以下においては、変形構成Ｃを適用した面状光源装置２０を、「面状光源装置２０Ｃ」ともいう。
【００９１】
表示装置１００Ｃは、図６の表示装置１００Ｂと比較して、突起部Ｘ１が、導光板２３の代わりに筺体２１Ｂに設けられる点が異なる。表示装置１００Ｃのそれ以外の構成は、表示装置１００Ｂと同様なので詳細な説明は繰り返さない。以下においては、筺体２１Ｂに設けられた突起部Ｘ１を、「突起部Ｘ１Ｂ」ともいう。
【００９２】
図８は、本発明の実施の形態３に係る表示装置１００Ｃの一部の断面図である。具体的には、図８は、本発明の実施の形態３に係る面状光源装置２０Ｃの断面図である。図９は、変形構成Ｃを適用した筺体２１Ｂの平面図である。なお、図９では、図の簡略化のため、筺体２１Ｂの側面は示しておらず、筺体２１Ｂの底面のみを示している。
【００９３】
変形構成Ｃでは、図８のように、図４の切り欠き部Ｈ２およびスリットＳＬ１は、光学シート２ｄのみに設けられる。なお、図８では、スリットＳＬ１は示されていない。平面視（ＸＹ面）における切り欠き部Ｈ２およびスリットＳＬ１の位置は、実施の形態１で説明した位置と同じである。
【００９４】
また、筺体２１Ｂは、光学シート部２２を収容するように、筺体２１Ｆと接続される。また、変形構成Ｃでは、導光板２３および反射シート２４に開口Ｈ３が設けられる。開口Ｈ３は、平面視（ＸＹ面）において、突起部Ｘ１Ｂが設けられる領域に設けられる。開口Ｈ３の形状は、突起部Ｘ１Ｂが当該開口Ｈ３を通過可能な形状とされる。
【００９５】
また、平面視（ＸＹ面）における突起部Ｘ１Ｂの位置は、平面視（ＸＹ面）における突起部Ｘ１Ａの位置と同じである。
【００９６】
また、本実施の形態の変形構成Ｃでは、図８および図９のように、突起部Ｘ１Ｂは、筺体２１Ｂに設けられる。具体的には、突起部Ｘ１Ｂは、筺体２１Ｂの一部をＺ方向に突出するようにして形成されたものである。また、突起部Ｘ１Ｂは、開口Ｈ３を介して、光学シート部２２の切り欠き側端部に接するように設けられる。すなわち、突起部Ｘ１Ｂは、開口Ｈ３を介して、光学シート２ｄの切り欠き側端部に接するように設けられる。
【００９７】
この構成により、突起部Ｘ１Ｂにより、光学シート２ｄの切り欠き側端部が押圧されることにより、光学シート部２２（光学シート２ｄ）が固定される。なお、変形構成Ｃにおいても、実施の形態１と同様、スリットＳＬ１は、平面視（ＸＹ面）において、切り欠き部Ｈ２と開口Ｈ１（表示領域Ｒ１）との間に設けられる。
【００９８】
以上説明したように、本実施の形態においても、実施の形態１と同様な効果が得られる。すなわち、光学シート２に起因する不具合Ａが発生することを抑制（防止）することができる。その結果、表示装置１００Ｃが表示する映像の品質が低下することを抑制することができる。
【００９９】
また、表示装置１００Ｃの背面側（筺体２１Ｂ側）は、筺体２１Ｆ側よりも、突起部を設ける位置の自由度が大きい。そのため、狭額縁を実現するために、筺体２１Ｆに突起部を設けることが困難な場合においても、本実施の形態は対応できる。
【０１００】
なお、本実施の形態では、切り欠き部Ｈ２およびスリットＳＬ１（図示せず）は、光学シート２ｄのみに設けられるとしたが、これに限定されない。実施の形態１と同様、切り欠き部Ｈ２およびスリットＳＬ１は、光学シート部２２を構成する全ての光学シート２に設けられてもよい。
【０１０１】
なお、本発明は、その発明の範囲内において、各実施の形態、実施の形態の変形例を自由に組み合わせたり、各実施の形態、実施の形態の変形例を適宜、変形、省略することが可能である。
【０１０２】
例えば、筺体２１Ｆおよび筺体２１Ｂの形状は、図３のように、筺体２１Ｂが筺体２１Ｆを収容するような形状としたがこれに限定されない。例えば、筺体２１Ｆおよび筺体２１Ｂの形状は、筺体２１Ｆが筺体２１Ｂを収容するような形状であってもよい。すなわち、筺体２１Ｆおよび筺体２１Ｂの形状は、筺体２１Ｆが筺体２１Ｂを覆うような形状であってもよい。
【符号の説明】
【０１０３】
２  光学シート、３，２１Ｂ，２１Ｆ  筐体、１０  表示パネル、２０，２０Ａ，２０Ｂ，２０Ｃ  面状光源装置、２２  光学シート部、２３  導光板、２５  光源、１００，１００Ａ，１００Ｂ，１００Ｃ  表示装置、Ｈ２  切り欠き部、Ｒ１  表示領域、ＳＬ１  スリット、Ｘ１，Ｘ１Ａ，Ｘ１Ｂ  突起部。
【図１】
0006335704.tif 000002
【図２】
0006335704.tif 000003
【図３】
0006335704.tif 000004
【図４】
0006335704.tif 000005
【図５】
0006335704.tif 000006
【図６】
0006335704.tif 000007
【図７】
0006335704.tif 000008
【図８】
0006335704.tif 000009
【図９】
0006335704.tif 000010